(57)【要約】【課題】医用ベッドなどの上方に天板部材の前部だけでなく左部や右部を位置させた場合の利用の自由度が良好であり、形状とサイズとが様々な各種機材や各種用具を最適に載置することが容易な、カート装置を提供する。【解決手段】カート装置１００は、左右方向に幅狭の支持部材１３０が天板部材１４０の左右中心から一方に変位した位置に配置されているので、天板部材１４０の左右下方に非対称の左側空間ＬＳおよび右側空間ＲＳが確保されている。このため、例えば、医用ベッドなどの上方に天板部材１４０の前部だけでなく左部や右部を位置させることができる。また、支持部材１３０の左右両側の非対称の左側空間ＬＳおよび右側空間ＲＳに、例えば、トレーやバスケット状の非対称の左側積載部材１７１，１７２や右側積載部材１７３を装備することもできるので、形状とサイズとが様々な各種機材や各種用具を最適に載置することもできる。【選択図】図１
2014008215.tif 000002
【特許請求の範囲】
【請求項１】
床面に接地する複数の車輪と、
複数の前記車輪が装着されているベース部材と、
前記ベース部材から上方に立設されている支持部材と、
前記支持部材の上端で支持されている天板部材と、
前記天板部材の後部に設置されているハンドル部材と、を有し、
前記支持部材は、前記天板部材より左右方向で幅狭に形成されていて前記天板部材の左右中心から一方に変位した位置に配置されており、
前記天板部材の左側下方および右側下方に左右非対称の左側空間および右側空間が確保されている、
カート装置。
【請求項２】
前記ハンドル部材は、前記天板部材の後縁部から後方に突設されている、
請求項１に記載のカート装置。
【請求項３】
前記支持部材の左側に装着されていて物品が積載される少なくとも一個の左側積載部材と、
前記支持部材の右側に装着されていて物品が積載される少なくとも一個の右側積載部材と、
も有する請求項１または２に記載のカート装置。
【請求項４】
前記左側積載部材は、前記左側空間の内部に配置されており、
前記右側積載部材は、前記右側空間の内部に配置されている、
請求項３に記載のカート装置。
【請求項５】
前記支持部材は、前記天板部材より前後方向に幅狭に形成されていて前記天板部材の前後中心より後方に配置されており、
前記天板部材は、下面の前記支持部材より前方の左右にバンパー部材が突設されている、
請求項１ないし４の何れか一項に記載のカート装置。
【請求項６】
前記バンパー部材は、少なくとも前面が弾性部材で形成されている、
請求項５に記載のカート装置。
【発明の詳細な説明】
【技術分野】
【０００１】
本発明は、オフィス、病院、公共施設、等の現場にて、物品の搬送や補助テーブルなどとして利用される、カート装置に関する。
【背景技術】
【０００２】
オフィス、病院、公共施設、等の現場においては、例えば、電子機器を様々な場所に移動しながら各種作業を行いたい場合がある。こうした要望に対しては、カート装置の天板上に電子機器を載置し、作業者がカート装置と共に移動することによって、対応することが多い。
【０００３】
このようなカート装置は、例えば、床面に接地する四個の車輪であるキャスターが、矩形のベース部材の四つの角部の各々に個々に配置されている。このようなベース部材の左右後部から上方に支持部材が立設されており、この左右一対の支持部材の上端で天板部材が支持されている。
【０００４】
このようなカート装置の車輪であるキャスターは水平方向にも回転するので、カート装置は床面を前後左右に移動することができる。そこで、このようなカート装置の天板上面に電子機器などを載置することにより、重量がある精密機器である電子機器を自由に容易に移動させることができる。
【０００５】
上述のような構造のカート装置においては、左右一対の支持部材の上端から前方に天板部材が突出しており、この天板部材より下方には、支持部材より前方に空間が確保されている。例えば、病院などの現場おいては、患者の診察や治療に使用する電子機器をカート装置に積載して移動させることがある。
【０００６】
このような場合、患者が横たわっている医用ベッドを、カート装置の天板部材の下方の空間に位置させる。これにより、天板部材の前部を医用ベッドの上方に位置させることができる。
【０００７】
従って、医用ベッドに横たわっている患者の上方に電子機器を配置することができるので、この電子機器を使用して患者に診察や治療などの医療作業を容易に実行することができる。
【０００８】
しかも、医用ベッドの側方にカート装置を配置する場合に比較して、全体の占有面積を大幅に削減することができる。このため、カート装置に載置された電子機器を使用して各種作業を実行する医師や看護人の作業性を阻害することもない。
【０００９】
なお、上述のような電子機器を使用する場合、その電子機器とともに各種の機材や用具を併用することが多々ある。一方、カート装置は、前述のように天板部材の下方に、天板部材と同等な平面形状の空間が確保されている。
【００１０】
そこで、この空間を利用して、トレーやバスケット状の積載部材を装着することがある。このような積載部材は、例えば、天板部材より下方の左右両側にベース部材から立設されている、左右側部で支持される。
【００１１】
上述のように天板部材より下方にトレーやバスケット状の積載部材を装着することにより、各種機材や各種用具を載置することができる。それでも、最上位の積載部材と天板部材との間隙には必要な空間が確保されているので、前述のように天板部材を医用ベッドの上方に配置するときに積載部材が邪魔となることもない。
【００１２】
なお、ここではカート装置を病院で利用する場合を例示したが、このようなカート装置は、各種の現場で各種の用途に利用することができる(例えば、特許文献１〜３参照)。
【先行技術文献】
【特許文献】
【００１３】
【特許文献１】特開２００８−０１７９２９号公報
【特許文献２】特開２００９−２７９４１４号公報
【特許文献３】特開２０１０−１０４５７３号公報
【発明の概要】
【発明が解決しようとする課題】
【００１４】
しかしながら、特許文献１〜３のカート装置は、左右一対の支持部材で天板部材を支持しているので、天板部材の前部を医用ベッドなどの上方に位置させることはできるが、天板部材の左部や右部を医用ベッドなどの上方に位置させることはできない。
【００１５】
また、特許文献１〜３のカート装置は、天板部材より下方にトレーやバスケット状の積載部材を装着することにより、各種機材や各種用具を載置することができるが、このような各種機材や各種用具は様々な形状やサイズに形成されている。
【００１６】
このため、形状とサイズとが一様な複数の積載部材に、形状とサイズとが様々な各種機材や各種用具を、載置することになる。この場合、かえって各種機材や各種用具の整理が煩雑となり、各種機材や各種用具を最適に載置することが困難となる。
【００１７】
本発明は上述のような課題に鑑みてなされたものであり、医用ベッドなどの上方に天板部材の前部だけでなく左部や右部を位置させた場合の利用の自由度が良好であり、形状とサイズとが様々な各種機材や各種用具を最適に載置することが容易な、カート装置を提供するものである。
【課題を解決するための手段】
【００１８】
上述のような課題を解決するため、本発明のカート装置は、床面に接地する複数の車輪と、複数の前記車輪が装着されているベース部材と、前記ベース部材から上方に立設されている支持部材と、前記支持部材の上端で支持されている天板部材と、前記天板部材の後部に設置されているハンドル部材と、を有し、前記支持部材は、前記天板部材より左右方向で幅狭に形成されていて前記天板部材の左右中心から一方に変位した位置に配置されており、前記天板部材の左側下方および右側下方に左右非対称の左側空間および右側空間が確保されている。
【００１９】
従って、このカート装置においては、ベース部材の下面に複数の車輪が二次元状に分散されて配置されており、天板部材の後部にハンドル部材が設置されているので、このハンドル部材を利用者が把持して前方などに押圧することにより、装置全体を前方などに自由に移動させることができる。上述のベース部材から支持部材が上方に立設されており、この支持部材の上端で天板部材が支持されている。この支持部材は、天板部材より左右方向に幅狭に形成されており、天板部材の左右中心から一方に変位した位置に配置されている。このため、天板部材の左右下方に非対称の左側空間および右側空間が確保されているので、例えば、テーブルボードや医用ベッドなどの上方に天板部材の前部だけでなく左部や右部を位置させることができる。さらに、支持部材の左右両側の非対称の左側空間および右側空間に、例えば、トレーやバスケット状の左側積載部材や右側積載部材を装着することができる。
【００２０】
上述のようなカート装置において、さらに本発明では、前記ハンドル部材は、前記天板部材の後縁部から後方に突設されている。従って、このカート装置においては、天板部材の後縁部から後方に突設されているハンドル部材を、利用者が把持して前方などに押圧することにより、装置全体を前方などに自由に移動させることができる。
【００２１】
上述のようなカート装置において、さらに本発明では、前記支持部材の左側に装着されていて物品が積載される少なくとも一個の左側積載部材と、前記支持部材の右側に装着されていて物品が積載される少なくとも一個の右側積載部材と、も有する。
【００２２】
従って、このカート装置においては、支持部材の左右両側の非対称の左側空間および右側空間に位置する左側積載部材と右側積載部材とに、形状とサイズとが様々な各種機材や各種用具を最適に載置することができる。
【００２３】
上述のようなカート装置において、さらに本発明では、前記左側積載部材は、前記左側空間の内部に配置されており、前記右側積載部材は、前記右側空間の内部に配置されている。
【００２４】
従って、このカート装置においては、左側積載部材が左側空間から左方外側に突出することがなく、右側積載部材も右側空間から右方外側に突出することがない。このため、移動するカート装置から左右に突出した左側積載部材や右側積載部材が壁面などに衝突することを防止できる。
【００２５】
上述のようなカート装置において、さらに本発明では、前記支持部材は、前記天板部材より前後方向に幅狭に形成されていて前記天板部材の前後中心より後方に配置されており、前記天板部材は、下面の前記支持部材より前方の左右にバンパー部材が突設されている。従って、このカート装置においては、天板部材の下方にテーブルボードや医用ベッドなどを位置させるとき、そのテーブルボードや医用ベッドなどが支持部材に衝突することを、バンパー部材で防止することができる。
【００２６】
上述のようなカート装置において、さらに本発明では、前記バンパー部材は、少なくとも前面が弾性部材で形成されている。従って、このカート装置においては、天板部材の下方に相対移動させるテーブルボードや医用ベッドなどがバンパー部材に当接するときの衝撃を軽減することができる。
【００２７】
なお、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【００２８】
さらに、本発明では前後左右上下の方向を規定しているが、本発明で云う上下方向とは完全に鉛直方向である必要はなく、前後方向と左右方向も完全に水平方向である必要はなく、技術常識の範囲で傾斜していることを許容する。
【発明の効果】
【００２９】
本発明のカート装置では、左右方向に幅狭の支持部材が天板部材の左右中心から一方に変位した位置に配置されているので、天板部材の左右下方に非対称の左側空間および右側空間が確保されている。このため、例えば、テーブルボードや医用ベッドなどの上方に天板部材の前部だけでなく左部や右部を位置させることができ、その場合の天板部材の突出度合が相違するので利用の自由度が良好である。さらに、支持部材の左右両側の非対称の左側空間および右側空間に、例えば、トレーやバスケット状の左側積載部材や右側積載部材を装備することもできる。この場合、左側積載部材と右側積載部材を非対称とすることができるので、形状とサイズとが様々な各種機材や各種用具を最適に載置することもできる。
【図面の簡単な説明】
【００３０】
【図１】本発明の実施の一形態のカート装置の使用状態を示す斜視図である。
【図２】本発明の実施の一形態のカート装置の外観を示す背面図である。
【図３】本発明の実施の一形態のカート装置の外観を示す模式的な斜視図である。
【図４】本発明の実施の形態のカート装置の第一の変形例の要部構造を示す模式的な平面図である。
【図５】本発明の実施の形態のカート装置の第二の変形例の全体構造を示す模式的な背面図である。
【図６】本発明の実施の形態のカート装置の第二の変形例の要部構造を示す模式的な平面図である。
【図７】本発明の実施の形態のカート装置の第三の変形例の要部構造を示す模式的な平面図である。
【図８】本発明の実施の形態のカート装置の第四の変形例の要部構造を示す模式的な平面図である。
【発明を実施するための形態】
【００３１】
本発明の実施の一形態に関して図１ないし図４を参照して以下に説明する。なお、図１は、本実施の形態のカート装置１００の使用状態を示す斜視図、図２は、本実施の形態のカート装置１００の外観を示す背面図、図３は、本実施の形態のカート装置１００の外観を示す模式的な斜視図、図４は、本発明の実施の一形態のカート装置の外観を示す模式的な平面図、である。
【００３２】
本実施の形態のカート装置１００は、主要部品として、図１ないし図３に示すように、ベース部材１１０と、車輪１２０と、支持部材１３０と、天板部材１４０と、ハンドル部材１５０と、図２および図３に示すように、バンパー部材１６０と、図１ないし図３に示すように、左側積載部材である左側トレー１７１および左側バスケット１７２、右側積載部材である右側ボックス１７３、を有する。
【００３３】
ベース部材１１０は、放射状に拡開したＨ状の平面形状に形成されており、その四つの端部の各々に、床面に接地する四個の車輪１２０が個々に装着されている。このように四方に分散されて配置された四個の車輪１２０は、全部が水平方向に回転するキャスターからなり、後方の左右一対は足踏ストッパ１２１が装備されている。
【００３４】
支持部材１３０は、ベース部材１１０より前後方向に充分に幅狭で、さらに左右方向に幅狭の支柱状に形成されており、Ｈ状のベース部材１１０の中央部から上方に立設されている。ただし、図２に示すように、本実施の形態のカート装置１００においては、支持部材１３０はベース部材１１０の中央から右方に変位した位置に立設されている。
【００３５】
支持部材１３０は、上下方向に伸縮自在に形成されているので、天板部材１４０およびバンパー部材１６０を上下方向に変位自在に支持している。より具体的には、ベース部材１１０に固定されている管状の下部支柱１３１と、この下部支柱１３１に上下方向にスライド自在に挿入されている上部支柱１３２と、からなり、この上下方向にスライド自在な上部支柱１３２はロック機構（図示せず）で下部支柱１３１に解除自在に固定されている。
【００３６】
天板部材１４０は、図１および図３および図４に示すように、前縁部と後縁部と左縁部と右縁部とが直線状の矩形状に形成されており、図１ないし図４に示すように、その後側の右方に変位した位置の下面に支持部材１３０の上部支柱１３２が接合されている。
【００３７】
このため、図１および図２に示すように、天板部材１４０の下方左側には幅広の左側空間ＬＳが確保されており、天板部材１４０の下方右側には幅狭の右側空間ＲＳが確保されている。また、図１および図３に示すように、天板部材１４０の下方前側には前側空間ＦＳが確保されている。
【００３８】
バンパー部材１６０は、図２に示すように、左右方向に離反された一対からなり、図１に示すように、天板部材１４０の下面の支持部材１３０より前方に突設されている。この左右一対のバンパー部材１６０は、軟質プラスチックや硬質ゴムなどの弾性部材で形成されている。
【００３９】
ハンドル部材１５０は、左右方向に細長形状のバーハンドルからなり、天板部材１４０の後縁部から後方に突設されている。このような形状のハンドル部材１５０が、天板部材１４０の後部に位置することにより、本実施の形態のカート装置１００においては、図示するように、前後左右が規定されている。
【００４０】
左側トレー１７１は、支持部材１３０の下部支柱１３１の左側上部に着脱自在に装着されており、左側バスケット１７２は、支持部材１３０の下部支柱１３１の左側下部に着脱自在に装着されており、右側ボックス１７３は、支持部材１３０の下部支柱１３１の右側上部に着脱自在に装着されている。
【００４１】
なお、上述のような、左側トレー１７１、左側バスケット１７２、右側ボックス１７３の、下部支柱１３１への装着位置は、既存の機構（図示せず）により上下方向に変更することができる。
【００４２】
さらには、下部支柱１３１には、上述のような左側トレー１７１、左側バスケット１７２、右側ボックス１７３、以外にも、各種のオプション部品を着脱自在に装着することができる（図示せず）。
【００４３】
本実施の形態のカート装置１００においては、図２に示すように、左側トレー１７１および左側バスケット１７２は、天板部材１４０より左側に突出しないように左側空間ＬＳの内部に配置されており、右側ボックス１７３は、天板部材１４０より右側に突出しないように右側空間ＲＳの内部に配置されている。
【００４４】
さらに、ベース部材１１０も、天板部材１４０より左右外側に突出しないように形成されており、その四隅に装着されている四個のキャスターからなる車輪１２０も、水平方向に回転しても天板部材１４０より左右外側に突出しないように配置されている。
【００４５】
上述のような構成において、本実施の形態のカート装置１００は、例えば、病院やオフィスなどの各種現場で、電子機器の搬送や補助テーブルなどの各種用途に利用される（図示せず）。
【００４６】
本実施の形態のカート装置１００を、電子機器の搬送などに利用する場合には、例えば、その電子機器が天板部材１４０に載置され、電子機器とともに併用される各種機材や各種用具（図示せず）が、左側トレー１７１や左側バスケット１７２や右側ボックス１７３などに積載される。
【００４７】
このような状態で、利用者はハンドル部材１５０を把持してカート装置１００を前方に押圧することにより、カート装置１００は前方に移動することができる。このカート装置１００においては、四個の車輪１２０の全部がキャスターからなるので、前方だけでなく前後左右に自由に移動することができる。
【００４８】
ただし、このカート装置１００においては、図２に示すように、前述のように全部の部位が、左右方向で天板部材１４０より内側に配置されている。このため、天板部材１４０が通過できる経路であれば、左側トレー１７１、左側バスケット１７２、右側ボックス１７３、ベース部材１１０、車輪１２０、の何れも移動を阻害することがない。
【００４９】
また、本実施の形態のカート装置１００を補助テーブルとして利用する場合には、図１に示すように、例えば、その天板部材１４０を大型の会議テーブル（図示せず）のテーブルボードＴＢの上方に位置させる。
【００５０】
このとき、テーブルボードＴＢはカート装置１００の前側空間ＦＳに位置することになり、左側トレー１７１、左側バスケット１７２、右側ボックス１７３は、テーブルボードＴＢの下方に位置することになる。ただし、本実施の形態のカート装置１００では、上述のようにテーブルボードＴＢの上方に位置する天板部材１４０の下面にバンパー部材１６０が突設されている。
【００５１】
従って、上述のようにカート装置１００を会議テーブルのテーブルボードＴＢに設置するとき、その天板部材１４０の下面の左右一対のバンパー部材１６０がテーブルボードＴＢの側面に当接する。このため、テーブルボードＴＢや医用ベッドが支持部材１３０に衝突することを、バンパー部材１６０で防止することができる。
【００５２】
しかも、本実施の形態のカート装置１００においては、支持部材１３０は、上下方向に伸縮自在に形成されているので、天板部材１４０およびバンパー部材１６０を上下方向に変位自在に支持している。
【００５３】
このため、各種のテーブルボードＴＢや医用ベッド（図示せず）などの上面および側面の位置が相違しても、これに対応して天板部材１４０およびバンパー部材１６０を上下方向に変位させることができる。
【００５４】
なお、本実施の形態のカート装置１００においては、天板部材１４０の下方に上述のような前側空間ＦＳだけでなく左側空間ＬＳと右側空間ＲＳも確保されている。このため、天板部材１４０の左側部分や右側部分をテーブルボードＴＢの上方に位置させることもできる。
【００５５】
本実施の形態のカート装置１００は、上述のように左右方向に幅狭の支持部材１３０が天板部材１４０の左右中心から一方に変位した位置に配置されているので、天板部材１４０の左右下方に非対称の左側空間ＬＳおよび右側空間ＲＳが確保されている。
【００５６】
このため、例えば、テーブルボードＴＢや医用ベッド（図示せず）などの上方に天板部材１４０の前部だけでなく左部や右部を位置させることができ、その場合の天板部材１４０の突出度合が相違するので利用の自由度が良好である。
【００５７】
さらに、支持部材１３０の左右両側の非対称の左側空間ＬＳおよび右側空間ＲＳに、左側トレー１７１や左側バスケット１７２や右側ボックス１７３を装備することもできる。この場合、左側トレー１７１や左側バスケット１７２と右側ボックス１７３を非対称とすることができるので、形状とサイズとが様々な各種機材や各種用具を最適に載置することもできる。
【００５８】
さらに、本実施の形態のカート装置１００においては、ハンドル部材１５０は天板部材１４０の後縁部から後方に突設されている。従って、利用者がハンドル部材１５０を把持して前方などに押圧することにより、装置全体を前方などに自由に移動させることができ、装置全体の前後左右の方向もハンドル部材１５０の位置により明確に認識することができる。
【００５９】
また、本実施の形態のカート装置１００においては、天板部材１４０に電子機器を積載して搬送するようなときに、その電子機器とともに併用される、形状とサイズとが様々な各種機材や各種用具を、支持部材１３０の左右両側の非対称の左側トレー１７１や左側バスケット１７２や右側ボックス１７３に、最適に載置することができる。
【００６０】
特に、本実施の形態のカート装置１００においては、必要により左側トレー１７１や左側バスケット１７２や右側ボックス１７３を支持部材１３０に着脱することができ、その上下位置も変更することができるので、多彩な用途に対応することができる。
【００６１】
さらに、本実施の形態のカート装置１００においては、左側トレー１７１や左側バスケット１７２が左側空間ＬＳから左方外側に突出することがなく、右側ボックス１７３も右側空間ＲＳから右方外側に突出することがない。
【００６２】
同様に、平面形状が放射状に拡開したＨ状のベース部材１１０と、その端部に個々に配置された四個の車輪１２０の全部とが、矩形の天板部材１４０の平面形状より外側に突出しない。このため、本実施の形態のカート装置１００においては、移動するときに天板部材１４０が通過できる経路ならば、各部が壁面などに衝突して移動を阻害することがない。
【００６３】
また、本実施の形態のカート装置１００においては、天板部材１４０の下方にテーブルボードＴＢや医用ベッドなどを位置させるとき、そのテーブルボードＴＢや医用ベッドが支持部材１３０に衝突することを、バンパー部材１６０で防止することができる。
【００６４】
特に、バンパー部材１６０が左右方向に離反した一対からなるので、天板部材１４０の下方にテーブルボードＴＢや医用ベッドの左部や右部などを位置させるときでも、そのテーブルボードＴＢが支持部材１３０に衝突することを、左側と右側とのバンパー部材１６０で各々防止することができる。
【００６５】
しかも、本実施の形態のカート装置１００においては、バンパー部材１６０が弾性部材で形成されているので、天板部材１４０の下方に相対移動させるテーブルボードＴＢなどがバンパー部材１６０に当接するときの衝撃を軽減することができる。
【００６６】
特に、バンパー部材１６０の全体が弾性部材で形成されているので、例えば、硬質な樹脂や金属などで形成したバンパー部材１６０の、前面や左右の側面に弾性部材を貼着する必要がなく、その生産性が良好である。
【００６７】
なお、本発明は本実施の形態に限定されるものではなく、その要旨を逸脱しない範囲で各種の変形を許容する。例えば、上記形態ではカート装置１００の支持部材１３０が、天板部材１４０およびベース部材１１０の左右中心から右方に変位していることを例示した。しかしながら、カート装置１００の支持部材１３０が、天板部材１４０およびベース部材１１０の左右中心から左方に変位していてもよい（図示せず）。
【００６８】
さらに、上記形態のカート装置１００においては、左右方向に細長形状のバーハンドルからなるハンドル部材１５０が天板部材１４０の後部に突設されていることで、カート装置１００の前後左右が規定されていることを例示した。
【００６９】
しかしながら、天板部材１４０の左部後方および右部後方の各々に、個々に設置されている左右一対のハンドル部材により（図示せず）、カート装置１００の前後左右が規定されていてもよい。
【００７０】
また、上記形態では前方の左右一対および後方の左右一対の、四個の車輪１２０の全部が、水平方向に回転自在なキャスターからなることを例示した。しかしながら、前方の左右一対および後方の左右一対の四個の車輪１２０の一方が、軸心方向が左右方向に固定されていて水平方向に回転しない車輪で形成されていてもよい（図示せず）。
【００７１】
この場合でも、カート装置１００は前後左右に問題なく移動することができる。しかも、この水平方向に回転しない左右一対の車輪１２０により、カート装置１００の前後左右を規定することができる。
【００７２】
さらに、上記形態ではカート装置１００の車輪１２０が、前方の左右一対および後方の左右一対の四個からなることを例示した。しかしながら、カート装置の車輪１２０が、前方の左右一対および後方一個の三個で構成されていてもよく、前方の一個および後方の左右一対の三個で構成されていてもよく、前方に三個以上および／または後方に三個以上の複数で構成されていてもよい（何れも図示せず）。
【００７３】
また、上記形態ではバンパー部材１６０が、図２に示すように、左右方向に離反された一対からなり、図３に示すように、天板部材１４０の下面の支持部材１３０より前方に突設されていることを例示した。
【００７４】
しかしながら、図５に例示するカート装置２００のように、天板部材１４０の下面の支持部材１３０より前方に、バンパー部材２１１が左右方向に細長形状の一個として形成されていてもよい。
【００７５】
このカート装置２００では、左右方向に連続する形状にバンパー部材２１１が形成されているので、天板部材１４０の左部や右部などの下方にテーブルボードＴＢや医用ベッドなどを位置させるときでも、そのテーブルボードＴＢや医用ベッドなどが支持部材１３０に衝突することを、その前方の左右に連続して形成されているバンパー部材２１１で防止することができる。
【００７６】
しかも、本実施の形態のカート装置２１０では、例えば、天板部材１４０の下方に位置させるテーブルボードＴＢや医用ベッドなどの側面に凸部（図示せず）などがあっても、この凸部が支持部材１３０に衝突することを確実に防止することができる。
【００７７】
さらに、図６および図７に例示するカート装置２２０のように、天板部材１４０の下面の支持部材１３０より前方に突設されている左右一対のバンパー部材１６０が、左右方向で支持部材１３０の直近の位置に配置されていてもよい。
【００７８】
このカート装置２２０では、左右一対のバンパー部材１６０が支持部材１３０の左右直近に位置しているので、天板部材１４０の左部や右部などの下方にテーブルボードＴＢや医用ベッドなどを位置させるとき、そのテーブルボードＴＢや医用ベッドなどの側面を支持部材１３０の側面近傍まで位置させることができる。
【００７９】
また、図８に例示するカート装置２３０のように、天板部材１４０の下面に突設されているバンパー部材２３１が、支持部材１３０の左方および前方および右方に連続するコ字状の平面形状に形成されていてもよい。
【００８０】
このカート装置２３０では、左右一対のバンパー部材２３１が支持部材１３０の左方および前方および右方に位置しているので、天板部材１４０の左部や前部や右部などの下方にテーブルボードＴＢや医用ベッドなどを位置させるときでも、そのテーブルボードＴＢや医用ベッドなどが支持部材１３０に衝突することを、その左方および前方および右方に連続して形成されているバンパー部材２３１で確実に防止することができる。
【００８１】
しかも、このカート装置２３０では、例えば、天板部材１４０の下方に位置させるテーブルボードＴＢや医用ベッドなどの側面に凸部（図示せず）などがあっても、この凸部が支持部材１３０に衝突することを確実に防止することができる。
【００８２】
さらに、このカート装置２３０では、コ字状の平面形状のバンパー部材２３１が支持部材１３０を直近で包囲しているので、天板部材１４０の左部や前部や右部などの下方にテーブルボードＴＢや医用ベッドなどを位置させるとき、そのテーブルボードＴＢや医用ベッドなどの側面を支持部材１３０の近傍まで位置させることができる。
【００８３】
同様に、天板部材１４０の下面に突設されているバンパー部材が、支持部材１３０の前方および左方および右方に個々に位置する三個からなってもよい（図示せず）。このようなバンパー部材でも、上述のコ字状の平面形状のバンパー部材２３１と同様に機能することができる。
【００８４】
さらに、左右一対のバンパー部材１６０が、左右方向に回動自在に軸支されていて、厚板状の天板部材１４０の下面に収容される構造に形成されていてもよい。従って、バンパー部材１６０が無用な場合には、これを天板部材１４０の下面に収容することができる。
【００８５】
なお、バンパー部材１６０は、外側に回動して天板部材１４０の下面に収容されるので、下方に突設した状態では外側から当接するテーブルボードＴＢや医用ベッドなどを停止させることができる。
【００８６】
同様に、バンパー部材１６０が、上下方向に変位自在に支持されていて厚板状の天板部材１４０の下面に収容される構造に形成されていてもよく、ボルト状に天板部材１４０の下面に着脱自在に装着されていてもよい（何れも図示せず）。
【００８７】
さらに、上記形態ではバンパー部材１６０の全体が弾性部材で形成されていることを例示した。しかしながら、バンパー部材が、硬質な樹脂や金属からなるバンパー本体と、このバンパー本体の前面や左右の側面に貼着されている弾性部材と、で形成されていてもよい（図示せず）。
【００８８】
また、硬質なバンパー部材が、スプリングやダンパーなどの弾発機構により、前後方向に変位自在に弾発支持されていてもよい（図示せず）。この場合でも、天板部材１４０の下方に相対移動させるテーブルボードＴＢや医用ベッドなどが、バンパー部材１６０に当接するときの衝撃を軽減することができる。
【００８９】
なお、当然ながら、上述した実施の形態および複数の変形例は、その内容が相反しない範囲で組み合わせることができる。また、上述した実施の形態および変形例おいては、各部の構造などを具体的に説明したが、その構造などは本願発明を満足する範囲で各種に変更することができる。
【符号の説明】
【００９０】
１００，２１０，２２０，２３０…カート装置
１１０…ベース部材
１２０…車輪
１２１…足踏ストッパ
１３０…支持部材
１３１…下部支柱
１３２…上部支柱
１４０…天板部材
１５０…ハンドル部材
１６０，２１１，２３１…バンパー部材
１７１…左側トレー
１７２…左側バスケット
１７３…右側ボックス
ＦＳ…前側空間
ＬＳ…左側空間
ＲＳ…右側空間
ＴＢ…テーブルボード
【図１】
2014008215.tif 000003
【図２】
2014008215.tif 000004
【図３】
2014008215.tif 000005
【図４】
2014008215.tif 000006
【図５】
2014008215.tif 000007
【図６】
2014008215.tif 000008
【図７】
2014008215.tif 000009
【図８】
2014008215.tif 000010